(57)【要約】【課題】主に石膏ボードによる壁面に利用される画鋲において、利用が容易であり、石膏ボードの損傷を防ぎ、吊り下げ強度も有する画鋲を提供することを課題とする。【解決手段】矩形となる画鋲台（１）の略中心に、水平より下方向となる差し込み角を有するセンターピン（３ａ）を備え、該センターピン（３ａ）と略直角を成す押さえ面（２ｂ）とを有する形状の画鋲。また該センターピン（３ａ）と平行となるサイドピン（３ｂ）を複数本備えた画鋲とにより上記課題の解消に到る。【選択図】図１
2018176648.tif 000002
【特許請求の範囲】
【請求項１】
主に正面視矩形となる画鋲台に、水平より下方向となる差し込み角を有するセンターピンと、該センターピンと略直角を成す押さえ面とにより形成されることを特徴とする画鋲。
【請求項２】
センターピンと平行となる、複数のサイドピンを備えることを特徴とする請求項１の画鋲。
【発明の詳細な説明】
【技術分野】
【０００１】
本発明は、主に石膏ボードの壁面に用いられる画鋲に関する。
【背景技術】
【０００２】
近年の画鋲は利用される形態に対し、幾つかの機能性によって対応する傾向にあり、よって形状も幾つかに分かれている。特に近年は壁が石膏ボードで作られており、画鋲も抜け落ちやすいものである。
【０００３】
そこで特許文献１には差し込み角度の異なる２本のピンを利用し石膏ボードの壁面より画鋲の脱落を防止する形態が開示されている。また特許文献２にもセンターピン（垂直針）を備えた画鋲を差し込んだ後、画鋲の頭部に設けられた角度の異なる複数の挿入孔へ、クロスピンを押し込む形態の石膏ボード用画鋲が開示されている。これらは画鋲がカレンダー等の吊り下げに利用され適切な強度を有することを目的としていることに由来する。
【先行技術文献】
【特許文献】
【０００４】
【特許文献１】特開２０１０−１６２７７５号公報
【特許文献２】実登第３００２２５１号公報
【発明の概要】
【発明が解決しようとする課題】
【０００５】
しかし、特許文献１においては、利用は非常に煩瑣であり、コストも画鋲の域を越えているものである。また、取り外す場合は壁面を損傷してしまう構造である。特許文献２においても利用時は煩瑣であり、取り外す場合も小さなクロスピンの頭をラジオペンチ等で挟んで抜かなければならない。また落とした場合や、接触等で落下した場合、クロスピンが飛び散ったり、紛失したりし危険でもある。この形態は、絵画の額を吊り下げる時に利用される金具に類似し、絵画の重さに対し、１本ピンであったり、３本ピンであったりする。
【０００６】
ここでは、主に画鋲として石膏ボードの壁であっても適切な吊り下げ強度を有し、壁面の損傷を防ぐことを課題とする。
【課題を解決するための手段】
【０００７】
本発明の最大の特徴は、ピンを壁面に対し水平ではなく、下方向へ差し込む形態である。これはフックを取り付ける場合によく利用されるもので、ピンを打ち込む場合はピンを目視しながら容易に行うことができるが、画鋲の場合はピンを見ることもままならず、また画鋲の頭部（画鋲台）は壁面に対し略密着する必要がある。密着していない場合は、フックとして利用した場合等は針の位置が僅かでもずれることで、壁材である石膏ボードが欠けピンは抜けやすくなってしまう。特にピンを水平に差し込んだ場合は、僅かでも下方へ傾くと容易に脱落してしまう。
【０００８】
そこで、画鋲の頭部（画鋲台）の壁面側（密着面）を、壁面に密着させるため、ピンと直角を成す押さえ面（図示）を形成する。これにより押さえ面に加圧することで、ピンは差し込み角に沿って差し込まれてゆき画鋲台の密着面が壁面へ密着することとなる。
【０００９】
また、フックとしての利用法も重視して、例えば画鋲台の略中心部に１本のセンターピンを備え、センターピンと平行となるやや短めのサイドピンを複数本備えることで吊り下げ強度を大幅に上げることができる。基本的にはセンターピンは太くて長く、サイドピンは細くて短い形状である。
【発明の効果】
【００１０】
効果としては、ピンの差し込み角が水平より下方向へとなることで、吊り下げ荷重に対する強度が大きいものである。また画鋲台の押さえ面により正確にピンを差し込むことができ、密着面も安定することから、石膏ボードの損傷を防止することとなる。また複数のサイドピンを利用することにより、小さなフックの代用とすることも可能である。更には画鋲台に抜き取り切り欠き部を備えることで、画鋲の抜き取りも容易となる。当然抜き取った跡はピンの孔のみで石膏ボードは損傷することがない。またサイドピンの抜き跡は非常に小さく目立たないものであり、例えば柔らかいクロースを貼ってある場合は抜き跡を残すこともない。
【図面の簡単な説明】
【００１１】
【図１】本発明による画鋲のセンターピンのみ及び横３本ピンによる側面図
【図２】センターピンのみによる正面図
【図３】横３本ピンによる正面図
【図４】縦３本ピンによる側面図
【図５】縦３本ピンによる正面図
【図６】利用に関する説明図
【図７】フック形画鋲の側面図
【図８】フック形画鋲の背面図
【図９】フック形画鋲の斜視図
【発明を実施するための形態】
【００１２】
画鋲の利用法を大別すると、１つ目がポスター等を貼る場合と、２つ目がカレンダー等、ピン穴に画鋲のピンを差し込み、カレンダーの吊り下げ部を壁面と画鋲とで挟んで吊り下げる場合。そして３つ目として稍重い物を吊り下げるための、小さなフックの代用として利用する場合とがある。これらの状況に対応するためには夫々の形態に分けられ、またその中でも幾つかに細分化される。
【００１３】
最初はポスター等を貼る場合であるが、近年は小さな円形の粘着シールが多用され、ガラス面等画鋲で対応できない場合はこれによるところとなる。しかし石膏ボードの壁面に貼られたクロースの材質によっては、粘着テープの効果が弱く、画鋲の利用が適切といえる。そこで図１〜２による、画鋲台（１）の略中心に１本のセンターピン（３ａ）のみを備えた形状にて利用する。
【００１４】
次にカレンダーを挟んで止める場合であるが、カレンダーは主に突起部に円形の孔を設けた金属製の吊り下げ部による形状が殆どである。しかし小さく軽い６枚綴りのものから、大版の１２枚綴りのように比較的重いものにも対応しなければならない。そこで、図１〜２に記載のセンターピン（３ａ）を下方に備え、上方に２本のサイドピン（３ｂ）を備えることで重量に対しても安定し、カレンダーの金具にも対応できるものである。
【００１５】
最後にフックとしてやや重いものを吊り下げる場合に利用する形状として、図７〜９による形状が考えられる。画鋲台（１）は矩形ではなく円形となっているが、フック用つまみ部（５）が垂直に備えられるため、ピンの配置状況が目視できるといえる。また図７による画鋲台（１）の上部が薄く下部が厚い形状においても、フックつまみ部（５）を持って差し込むことで押さえ面（２ｂ）も特に必要ではなく、図９による平坦な画鋲台（１）の形状であってもよい。これはコスト面に対する考え方である。
【００１６】
基本的な形状としては図１、３による横３本ピンの形状と、図４、５による縦３本ピンとの形状が一般的と考えられるが、前記の状況に応じた３形態も合わせ、状況に対応するものであり、限定されるべき性質のものではない。また画鋲を引き抜く際には図６に示す切り欠け部（４ｂ）やフック用の突部（４ａ）を利用することとなる。
【符号の説明】
【００１７】
１    画鋲台
２ａ  密着面
２ｂ  押さえ面
３ａ  センターピン
３ｂ  サイドピン
４ａ  突部
４ｂ  切り欠け部
５    フック用つまみ部
【図１】
2018176648.tif 000003
【図２】
2018176648.tif 000004
【図３】
2018176648.tif 000005
【図４】
2018176648.tif 000006
【図５】
2018176648.tif 000007
【図６】
2018176648.tif 000008
【図７】
2018176648.tif 000009
【図８】
2018176648.tif 000010
【図９】
2018176648.tif 000011